(57)【要約】【課題】高所作業用安全帯のランヤードおよび高所作業用垂直親綱において、フックおよびロープの連結部、並びに抜け止めを、「さつま編み」によらずにより簡単にかつ低コストで形成することができ、しかも「さつま編み」と同程度の強度を確保することができるようにする。【解決手段】ロープ１と、ロープの一端に取付けられた連結用金具２と、ロープの中間部に配置され、その内部に前記ロープが挿通された伸縮調節器３と、ロープの他端に設けられた、伸縮調節器の抜け落ち防止のための抜け止め４を備える。ロープは、一重のまたは二重以上に重ね合わされた扁平な織物ベルト５を、連結用金具のロープ通し孔６に通して折り返した後、二重に重ね合わせて伸縮調節器に挿通した後、二重に重ね合わせた織物ベルトの先端に抜け止めを設け、二重に重ね合わせた織物ベルトを互いに縫合したものからなる。【選択図】図１
0003103209.tif 000002
【実用新案登録請求の範囲】
【請求項１】
高所作業用安全帯のランヤードであって、ロープと、前記ロープの一端に取付けられた連結用金具と、前記ロープの中間部に配置され、その内部に前記ロープが挿通された伸縮調節器と、前記ロープの他端に設けられた、前記伸縮調節器の抜け落ち防止のための抜け止めとを有するものにおいて、
前記ロープが、一重のまたは二重以上に重ね合わされた扁平な織物ベルトを、前記連結用金具のロープ通し孔に通して折り返した後、二重に重ね合わせて前記伸縮調節器に挿通した後、前記二重に重ね合わせた織物ベルトの先端に前記抜け止めを設け、前記二重に重ね合わせた織物ベルトを互いに縫合したものからなっていることを特徴とするランヤード。
【請求項２】
前記抜け止めは、前記二重に重ね合わせた織物ベルトを前記伸縮調節器に挿通した後、前記織物ベルトのそれぞれをその端から所定の距離離れた位置で少なくとも１回折り返し、その折り返した部分をさらに互いに重ね合わせて縫合したものからなっていることを特徴とする請求項１に記載のランヤード。
【請求項３】
前記伸縮調節器は、
一対の間隔をあけて配置された側壁およびこれらを接続する中間壁からなる実質上Ｕ字形またはコ字形断面を有するロープホルダーと、
それぞれ、実質上Ｌ字形を有し、その屈曲部が連結ピンによって前記ロープホルダの一対の側壁の間に支持されて、前記連結ピンのまわりに揺動自在な一対のクランプレバーとを備え、
前記一対のクランプレバーは、前記ロープホルダーの長さ方向に互いに間隔をあけて同じ向きに取付けられるとともに、それぞれ、一方の腕が前記ロープホルダーの中間壁の内側面に当接し、他方の腕の少なくとも先端部が前記ロープホルダの外側に突出するようになっており、さらに、
前記一対のクランプレバーのそれぞれの前記他方の腕の先端部に第２の連結ピンによって揺動自在に連結され、前記ロープホルダーに対して平行移動可能な作動部材と、
前記作動部材と前記一対のクランプレバーの少なくとも一方との間に配置され、前記一対のクランプレバーのそれぞれの前記一方の腕を常時前記ロープホルダーの中間壁の内側面に向けて弾性付勢するバネと、
前記一対のクランプレバーの一方および前記作動部材を連結する前記連結ピンに連結された第２の連結用金具と、
前記ロープホルダーの一対の側壁の間に取付けられた少なくとも１本のガイドピンを備え、
前記作動部材は、前記第２の連結金具に対して張力が及ぼされたときに前記ロープホルダーに対して第１の方向に平行移動せしめられることにより、前記一対のクランプレバーを、前記連結ピンのまわりに、前記クランプレバーの一方の腕が前記ロープホルダーの中間壁の内側面に押しつけられるように揺動させる一方、前記ロープホルダーに対して前記第1の方向と反対の方向に平行移動せしめられたときには、前記一対のクランプレバーを、前記バネによる弾性付勢に抗して前記連結ピンのまわりに、前記一方の腕が前記ロープホルダーの中間壁の内側面から少なくとも前記ガイドピンの高さ位置まで離れるまで揺動させ得るようになっており、前記ロープは、前記ロープホルダーの中間壁および一対の側壁の一部、並びに前記ガイドピンによって囲まれた部分を断面とする通路内に、前記織物ベルトの表裏一対の縫合面が常に前記中間壁および前記ガイドピン側に向けられかつ前記クランプレバーの一方の腕の間に挟持された状態で、挿通されるようになっていることを特徴とする請求項１または請求項２に記載のランヤード。
【請求項４】
高所作業時に使用される垂直親綱であって、綱本体と、前記綱本体の一端に取付けられた連結用金具と、前記綱本体の中間部に配置され、その内部に前記綱本体が挿通されたスライド器と、前記綱本体の他端に設けられた、前記スライド器の抜け落ちを防止するための抜け止めとを有するものにおいて、
前記綱本体が、一重のまたは二重以上に重ね合わされた扁平な織物ベルトを、前記連結用金具の綱通し孔に通して折り返した後、二重に重ね合わせて前記スライド器に挿通した後、前記二重に重ね合わせた織物ベルトの先端に前記抜け止めを設け、前記二重に重ね合わせた織物ベルトを互いに縫合したものからなっていることを特徴とする垂直親綱。
【請求項５】
前記抜け止めは、前記二重に重ね合わせた織物ベルトを前記スライド器に挿通した後、前記織物ベルトのそれぞれをその端から所定の距離離れた位置で少なくとも１回折り返し、その折り返した部分をさらに互いに重ね合わせて縫合したものからなっていることを特徴とする請求項４に記載の垂直親綱。
【請求項６】
前記抜け止めとして、前記二重に重ね合わせた織物ベルトの先端に第２の連結金具が取付けられ、前記第２の連結金具の取付けは、その綱通し孔に前記二重に重ね合わせた織物ベルトの一方を通して折り返した後、その折り返した部分と織物ベルトの本体部分と重ね合わせて縫合することによってなされていることを特徴とする請求項４に記載の垂直親綱。
【考案の詳細な説明】
【技術分野】
【０００１】
本考案は、高所作業用安全帯のランヤード並びに高所作業用垂直親綱の改良に関するものである。
【背景技術】
【０００２】
高所作業用安全帯、例えば、胴ベルト型安全帯のランヤードは、ロープと、ロープの一端に取付けられたフックと、ロープの中間部に配置され、その内部にロープが挿通された伸縮調節器と、ロープの他端に設けられた、伸縮調節器の抜け落ち防止のための抜け止めを有している。そして、１本吊りまたはＵ字吊りの形態で、作業者の安全を確保すべく使用されている。
【０００３】
ところで、従来のランヤードに使用されるロープとしては、３本のロープを撚り合わせて形成された「３つ打ちロープ」が使用されていた。そして、この「３つ打ちロープ」の端とフックとの連結は、図７に示されるように、フック４０のロープ通し孔４１に３つ打ちロープ４２が通された後、輪状に折り返され、折り返された部分が本体部分と「さつま編み」（部分４３）によって接合されることによってなされていた。さらには、抜け止め４４もまた、「３つ打ちロープ」の端が「さつま編み」されることによって形成されていた。
【０００４】
この場合、「３つ打ちロープ」の構造、フックとロープとの連結部の強度、重量、並びに抜け止めの強度、重量を考えると、従来は「さつま編み」が最適のものとされているが、「さつま編み」を行うにはある程度の熟練を必要とし、また、作業に相当の時間を要しており、生産性が低いという問題を生じていた。
この問題は、高所作業において使用される垂直親綱についても同様に生じていた。
【考案の開示】
【考案が解決しようとする課題】
【０００５】
したがって、本考案の課題は、高所作業用安全帯のランヤードおよび高所作業用垂直親綱において、フックおよびロープの連結部、並びに抜け止めを、「さつま編み」によらずにより簡単にかつ低コストで形成することができ、しかも「さつま編み」と同程度の強度を確保することができるようにすることにある。
【課題を解決するための手段】
【０００６】
上記課題を解決するため、本考案は、高所作業用安全帯のランヤードであって、ロープと、前記ロープの一端に取付けられた連結用金具と、前記ロープの中間部に配置され、その内部に前記ロープが挿通された伸縮調節器と、前記ロープの他端に設けられた、前記伸縮調節器の抜け落ち防止のための抜け止めとを有するものにおいて、前記ロープが、一重のまたは二重以上に重ね合わされた扁平な織物ベルトを、前記連結用金具のロープ通し孔に通して折り返した後、二重に重ね合わせて前記伸縮調節器に挿通した後、前記二重に重ね合わせた織物ベルトの両端に前記抜け止めを設け、前記二重に重ね合わせた織物ベルトを互いに縫合したものからなっていることを特徴とするランヤードを構成したものである。
【０００７】
この構成において、前記抜け止めは、前記二重に重ね合わせた織物ベルトを前記伸縮調節器に挿通した後、前記織物ベルトのそれぞれの端から所定の距離離れた位置で少なくとも１回折り返し、その折り返した部分をさらに互いに重ね合わせて縫合したものからなっていることが好ましい。
また好ましくは、前記伸縮調節器は、一対の間隔をあけて配置された側壁およびこれらを接続する中間壁からなる実質上Ｕ字形またはコ字形断面を有するロープホルダーと、それぞれ、実質上Ｌ字形を有し、その屈曲部が連結ピンによって前記ロープホルダの一対の側壁の間に支持されて、前記連結ピンのまわりに揺動自在な一対のクランプレバーとを備え、前記一対のクランプレバーは、前記ロープホルダーの長さ方向に互いに間隔をあけて同じ向きに取付けられるとともに、それぞれ、一方の腕が前記ロープホルダーの中間壁の内側面に当接し、他方の腕の少なくとも先端部が前記ロープホルダの外側に突出するようになっており、さらに、前記一対のクランプレバーのそれぞれの前記他方の腕の先端部に第２の連結ピンによって揺動自在に連結され、前記ロープホルダーに対して平行移動可能な作動部材と、前記作動部材と前記一対のクランプレバーの少なくとも一方との間に配置され、前記一対のクランプレバーのそれぞれの前記一方の腕を常時前記ロープホルダーの中間壁の内側面に向けて弾性付勢するバネと、前記一対のクランプレバーの一方および前記作動部材を連結する前記連結ピンに連結された第２の連結用金具と、前記ロープホルダーの一対の側壁の間に取付けられた少なくとも１本のガイドピンを備え、前記作動部材は、前記第２の連結金具に対して張力が及ぼされたときに前記ロープホルダーに対して第１の方向に平行移動せしめられることにより、前記一対のクランプレバーを、前記連結ピンのまわりに、前記クランプレバーの一方の腕が前記ロープホルダーの中間壁の内側面に押しつけられるように揺動させる一方、前記ロープホルダーに対して前記第1の方向と反対の方向に平行移動せしめられたときには、前記一対のクランプレバーを、前記バネによる弾性付勢に抗して前記連結ピンのまわりに、前記一方の腕が前記ロープホルダーの中間壁の内側面から少なくとも前記ガイドピンの高さ位置まで離れるまで揺動させ得るようになっており、前記ロープは、前記ロープホルダーの中間壁および一対の側壁の一部、並びに前記ガイドピンによって囲まれた部分を断面とする通路内に、前記織物ベルトの表裏一対の縫合面が常に前記中間壁および前記ガイドピン側に向けられかつ前記クランプレバーの一方の腕の間に挟持された状態で、挿通されるようになっている。
【０００８】
また上記課題を解決するため、本考案は、高所作業時に使用される垂直親綱であって、綱本体と、前記綱本体の一端に取付けられた連結用金具と、前記綱本体の中間部に配置され、その内部に前記綱本体が挿通されたスライド器と、前記綱本体の他端に設けられた、前記スライド器の抜け落ちを防止するための抜け止めとを有するものにおいて、前記綱本体が、一重のまたは二重以上に重ね合わされた扁平な織物ベルトを、前記連結用金具の綱通し孔に通して折り返した後、二重に重ね合わせて前記スライド器に挿通した後、前記二重に重ね合わせた織物ベルトの先端に前記抜け止めを設け、前記二重に重ね合わせた織物ベルトを互いに縫合したものからなっていることを特徴とする垂直親綱を構成したものである。
【０００９】
この構成において、前記抜け止めは、前記二重に重ね合わせた織物ベルトを前記スライド器に挿通した後、前記織物ベルトのそれぞれをその端から所定の距離離れた位置で少なくとも１回折り返し、その折り返した部分をさらに互いに重ね合わせて縫合したものからなっていることが好ましく、あるいは、前記抜け止めとして、前記二重に重ね合わせた織物ベルトの先端に第２の連結金具が取付けられ、前記第２の連結金具の取付けは、その綱通し孔に前記二重に重ね合わせた織物ベルトの一方を通して折り返した後、その折り返した部分と織物ベルトの本体部分と重ね合わせて縫合することによってなされていることが好ましい。
【考案の効果】
【００１０】
本考案によれば、ランヤードのロープおよび垂直親綱の綱本体を、一重のまたは二重以上に重ね合わされた扁平な織物ベルトを二重に重ね合わせて縫合したものから形成するようにしたので、ロープまたは綱本体と連結金具との連結、あるいは抜け止めの形成を、「さつま編み」によらずに、重ね合わせた織物ベルトを縫合するだけで達成することができる。しかも、この場合、「さつま編み」の場合と同程度の強度を実現することができる。こうして、本考案によれば、従来よりも、簡単かつ短時間でランヤードおよび垂直親綱を製造することができる。
【考案を実施するための最良の形態】
【００１１】
以下、添付図面を参照して本考案の好ましい実施例について説明する。図１は、本考案の１実施例による高所作業用安全帯のランヤードの全体構成を示した図であり、図２は、図１のランヤードのフックとの連結部および抜け止めの構成を示した図であり、（Ａ）は該連結部の平面図、（Ｂ）は該連結部の側面図、（Ｃ）は該抜け止めの平面図、（Ｄ）は該抜け止めの側面図である。
図１および図２を参照して、本考案による高所作業用安全帯のランヤードは、ロープ１と、ロープ１の一端に取付けられた連結用金具、この実施例ではフック２と、ロープ１の中間部に配置され、その内部にロープ１が挿通された伸縮調節器３と、ロープ１の他端に設けられた、伸縮調節器３の抜け落ち防止のための抜け止め４を備えている。
【００１２】
ロープ１は、一重のまたは二重以上に重ね合わされた（この実施例では一重の）扁平な織物ベルト５を、フック（連結用金具）２のロープ通し孔６に通して折り返した後、二重に重ね合わせて伸縮調節器３に挿通した後、二重に重ね合わせた織物ベルト５の先端に抜け止め４を設け、二重に重ね合わせた織物ベルト５を縫糸７によって互いに縫合したものからなっている。この場合、織物ベルト５の折り返し部分は、Ｕ字形のシンブル８に挿通されていて、織物ベルト５がフック２と擦れ合って摩耗することが防止されるようになっている。
なお、図６に示されるように、フック２とロープ１の間にショックアブソーバー２２を介在させる構成とすることもできる。
【００１３】
抜け止め４は、この実施例では、二重に重ね合わせた織物ベルト５を伸縮調節器３に挿通した後、織物ベルト５のそれぞれをその端から所定の距離離れた位置（図２（Ｄ）の位置Ｘ）で少なくとも１回折り返し、その折り返した部分５ａをさらに互いに重ね合わせて縫糸７によって縫合したものからなっている。この場合、互いに重ね合わせた折り返し部分５ａを縫糸によって縫合せずに、図３（Ａ）に示されるように、この部分に金属管３０を被せてかしめることによって互いに圧着するようにしてもよい。
抜け止め４の構成は、この実施例に限定されるものではなく、例えば、図３（Ｂ）、（Ｃ）に示されるように、二重に重ね合わせた織物ベルト５の一方を、フランジ部材３１の芯のまわりに沿わせて折り返した後、その折り返した部分５ｂと織物ベルトの本体部分と重ね合わせて縫合することによって抜け止め４を形成するようにしてもよい。
【００１４】
図４は、図１のランヤードの伸縮調節器の構成を示した図であり、（Ａ）は、ロープホルダーの一方の側壁および作動部材の一方の側壁が取り除かれた状態の側面図、（Ｂ）は、（Ａ）の矢印ＩＩ方向から見たロープホルダー近傍の正面図、（Ｃ）は、ロープホルダーの変形例を示す（Ｂ）に類似の図である。
図４に示されるように、伸縮調節器３は、一対の間隔をあけて配置された側壁９およびこれらを接続する中間壁１０からなる実質上コ字形断面を有するロープホルダー１１を備えている。ロープホルダー１１の一対の側壁９の間には、それぞれ、実質上Ｌ字形の一対のクランプレバー１２が、その屈曲部を連結ピン１３によって支持され、連結ピン１３のまわりに揺動自在となっている。
一対のクランプレバー１２は、ロープホルダー１１の長さ方向に互いに間隔をあけて同じ向きに取付けられるとともに、それぞれ、一方の腕１２ａがロープホルダー１１の中間壁１０の内側面に当接し、他方の腕１２ｂの少なくとも先端部がロープホルダー１１の外側に突出するようになっている。
クランプレバー１２の一方の腕１２ａにおけるロープホルダー１１の中間壁１０の内側面に向き合うエッジ部分には、滑り止めとして機能する段部１９が形成される一方、ロープホルダー１１の中間壁１０の内側面の対応する領域に、同じく滑り止めとして機能する段部２０が設けられている。
【００１５】
また、一対のクランプレバー１２のそれぞれの他方の腕１２ｂの先端部には、作動部材１４が、第２の連結ピン１５によって揺動自在に連結され、ロープホルダー１１に対して平行移動可能となっている。
そして、作動部材１４と一方のクランプレバー１２を連結する第２の連結ピン１５には、コイルバネ１６が嵌め込まれている。そして、コイルバネ１６の一方の端が作動部材１４に当接する一方、他方の端が該一方のクランプレバー１２に当接し、それによって、一対のクランプレバー１２のそれぞれの一方の腕１２ａが、ロープホルダー１１の中間壁１０の内側面に向けて弾性付勢されるようになっている。
【００１６】
さらに、他方のクランプレバー１２および作動部材１４を連結する第２の連結ピン１５には第２の連結用金具、この実施例では第２のフック１７が連結されている。
また、ロープホルダー１１の一対の側壁９の間には、ガイドピン１８が取付けられている。この実施例では、ガイドピン１８は1本だけ取付けられるが、複数本のガイドピンを取付けるようにしてもよい。このガイドピン１８により、ロープ１は、図４（Ｂ）に示されるように、ロープホルダー１１の中間壁１０および一対の側壁９の一部、並びにガイドピン１８によって囲まれた部分を断面とする通路内に、織物ベルト５の表裏一対の縫合面が常に中間壁１０およびガイドピン１８側に向けられた状態で、挿通され、ロープ１がこの通路内で捻れることはない。
【００１７】
こうして、作動部材１４は、第２のフック１７に対して張力が及ぼされたときにロープホルダー１１に対して第１の方向（抜け止め４に向かう方向）に平行移動せしめられることにより、一対のクランプレバー１２を、連結ピン１３のまわりに、クランプレバー１２の一方の腕１２ａがロープホルダー１１の中間壁１０の内側面に押しつけられるように揺動させる一方、ロープホルダー１１に対して第1の方向と反対の方向（第１のフック２に向かう方向）に平行移動せしめられたときには、一対のクランプレバー１２を、コイルバネ１６による弾性付勢に抗して連結ピン１３のまわりに、一方の腕１２ａがロープホルダー１１の中間壁１０の内側面から少なくともガイドピン１８の高さ位置まで離れるまで揺動させ得るようになっている。
なお、この実施例では、ロープホルダー１１は、実質上コ字形断面を有しているが、図４（Ｃ）に示されるように、一対の側壁９’およびこれらを接続する中間壁１０’からなる実質上Ｕ字形断面のロープホルダー１１’としてもよい。この場合にも、ガイドピン１８により、ロープ１が伸縮調節器３内で捻れることはない。
【００１８】
そして、ロープ１は、図４（Ｂ）からわかるように、ロープホルダー１１の中間壁１０および一対の側壁９の一部、並びにガイドピン１８によって囲まれた部分を断面とする通路内に、織物ベルト５の表裏一対の縫合面が常に中間壁１０およびガイドピン１８側に向けられかつクランプレバー１２の一方の腕の間に挟持された状態で、挿通されるようになっている。この場合、ロープ１が伸縮調節器３の通路内で捻れて、その縫合面がクランプレバー１２および中間壁１０の間に挟まれた状態となることはなく、よって、重ね合わされた織物ベルト５の縫合部が劣化することが防止される。
【００１９】
本考案のランヤードによれば、ロープ１を、扁平な織物ベルト５を二重に重ね合わせて縫合したものから形成するようにしたので、ロープ１とフック（連結金具）２との連結、あるいは抜け止め４の形成を、「さつま編み」によらずに、重ね合わせた織物ベルトを縫合するだけで達成することができる。しかも、この場合、「さつま編み」の場合と同程度の強度を実現することができる。こうして、本考案によれば、従来よりも、簡単かつ短時間でランヤードを製造することができる。
【００２０】
図５は、本考案の１実施例による、高所作業時に使用される垂直親綱の全体構成を示す図である。図５を参照して、本考案による垂直親綱は、綱本体３２と、綱本体３２の一端に取付けられた連結用金具、例えば第１のフック３３と、綱本体３２の中間部に配置され、その内部に綱本体３２が挿通されたスライド器３４と、綱本体３２の他端に設けられた、スライド器の抜け落ちを防止するための抜け止め３５を有している。
【００２１】
綱本体３２が、一重のまたは二重以上に重ね合わされた（この実施例では一重の）扁平な織物ベルト３６を、第１のフック（連結金具）３３の綱通し孔３７に通して折り返した後、二重に重ね合わせてスライド器３４に挿通した後、二重に重ね合わせた織物ベルト３６の先端に抜け止め３５を設け、二重に重ね合わせた織物ベルト３６を互いに縫合したものからなっている。
【００２２】
この実施例では、抜け止め３５として、二重に重ね合わせた織物ベルト３６の先端に第２の連結金具、例えばフック３８が取付けられている。第２のフック（連結金具）３８の取付けは、その綱通し孔３９に二重に重ね合わせた織物ベルト３６の一方を通して折り返した後、その折り返した部分と織物ベルト３６の本体部分と重ね合わせて縫合することによってなされる。
抜け止め３５の構成はこの実施例に限定されるものではなく、例えば、上述のランヤードの場合と同様、抜け止め３５を、二重に重ね合わせた織物ベルト３６をスライド器３４に挿通した後、織物ベルト３６のそれぞれをその端から所定の距離離れた位置で少なくとも１回折り返し、その折り返した部分をさらに互いに重ね合わせて縫合したものから形成するようにしてもよい。
この実施例の場合にも、図１の実施例と同様の効果を得ることができる。
【図面の簡単な説明】
【００２３】
【図１】本考案の１実施例による高所作業用安全帯のランヤードの全体構成を示した図である。
【図２】図１のランヤードのフックとの連結部および抜け止めの構成を示した図であり、（Ａ）は該連結部の平面図、（Ｂ）は該連結部の側面図、（Ｃ）は該抜け止めの平面図、（Ｄ）は該抜け止めの側面図である。
【図３】抜け止めの変形例を示した図であり、（Ａ）は第１の変形例を示し、（Ｂ）は第２の変形例を示しており、（Ｃ）は（Ｂ）におけるＩ−Ｉ線に沿った断面図を示している。
【図４】図１のランヤードの伸縮調節器の構成を示した図であり、（Ａ）は、ロープホルダーの一方の側壁および作動部材の一方の側壁が取り除かれた状態の側面図、（Ｂ）は、（Ａ）の矢印ＩＩ方向から見たロープホルダー近傍の正面図、（Ｃ）は、ロープホルダーの変形例を示す（Ｂ）に類似の図である。
【図５】本考案の１実施例による高所作業時に使用される垂直親綱の全体構成を示した図である。
【図６】図１のランヤードにおけるフックとロープとの連結部の変形例を示した図である。
【図７】高所作業用安全帯のランヤードの従来例を示した図である。
【符号の説明】
【００２４】
１  ロープ
２  フック（連結金具）
３  伸縮調節器
４  抜け止め
５  織物ベルト
５ａ  折り返し部分
６  ロープ通し孔
７  縫糸
８  シンブル
９  側壁
１０  中間壁
１１  ロープホルダー
１２  クランプレバー
１２ａ  一方の腕
１２ｂ  他方の腕
１３  連結ピン
１４  作動部材
１５  第２の連結ピン
１６  コイルバネ
１７  第２のフック（連結金具）
１８  ガイドピン
【図１】
0003103209.tif 000003
【図２】
0003103209.tif 000004
【図３】
0003103209.tif 000005
【図４】
0003103209.tif 000006
【図５】
0003103209.tif 000007
【図６】
0003103209.tif 000008
【図７】
0003103209.tif 000009